(57)【要約】      （修正有）【課題】包装体内に収容物を収容させた状態で、この包装体が勝手に切断されて収容物がこぼれ出したりすることがないようにすると共に、包装体内に収容された収容物を取り出す際に、この包装体を簡単に切断して収容物を容易に取り出せるラベル付き包装体を提供する。【解決手段】包装体１０に切断開始部１２が設けられ、この切断開始部を覆うようにしてラベル２０が包装体に貼着されたラベル付き包装体であって、このラベルの一部に包装体に貼着されない把持部２３が設けられると共に、このラベルの表面に、包装体に貼着されたラベルを引き剥がすように引っ張る方向を示す表示部２１が設けられている。【選択図】図５
0003149407.tif 000002
【実用新案登録請求の範囲】
【請求項１】
包装体に切断開始部が設けられ、この切断開始部を覆うようにしてラベルが包装体に貼着されてなるラベル付き包装体であって、このラベルの一部に包装体に貼着されない把持部が設けられると共に、このラベルの表面に、包装体に貼着されたラベルを引き剥がすように引っ張る方向を示す表示部が設けられていることを特徴とするラベル付き包装体。
【請求項２】
請求項１に記載のラベル付き包装体において、上記の切断開始部が切込みであることを特徴とするラベル付き包装体。
【請求項３】
請求項１又は請求項２に記載のラベル付き包装体において、上記の切断開始部が包装体に設けられた空気穴の部分に形成されていることを特徴とするラベル付き包装体。
【請求項４】
請求項１に記載のラベル付き包装体において、包装体の周囲に沿って包装体を開封させる切断用テープが設けられ、上記の切断開始部がこの切断用テープの開封始端であることを特徴とするラベル付き包装体。
【考案の詳細な説明】
【技術分野】
【０００１】
この考案はラベル付き包装体に係り、特に、包装体内に収容物を収容させた状態で、この包装体が勝手に切断されて収容物がこぼれ出したりすることがないようにすると共に、包装体内に収容された収容物を取り出す際に、この包装体を簡単に切断して収容物を容易に取り出せるようにした点に特徴を有するものである。
【背景技術】
【０００２】
従来から、様々な収容物を包装体内に収容させ、この包装体内から収容物を取り出す際に、この包装体を切断して収容物を取り出すことが行われている。
【０００３】
ここで、このように包装体を切断して包装体内から収容物を取り出すにあたり、力の弱いお年寄りや子供等の場合、包装体をうまく切断することができず、鋏等を用いて切断しなければならないという問題があった。
【０００４】
ここで、このような包装体を簡単に切断できるようにするため、包装体の適当な位置に切込みを設けることが考えられるが、このように切込みを設けた場合、僅かな力が作用するだけで包装体がこの切込み箇所から簡単に切断されてしまい、収容物が包装体内から勝手にこぼれ出したりするという問題があった。
【０００５】
また、従来においては、特許文献１に示されるように、少なくともベース材料層とバリヤー層とシーラント層とを積層させた袋状の包装体において、少なくともベース材料層に破線状の切断線を設けるようにしたものが提案されている。
【０００６】
しかし、このように少なくともベース材料層とバリヤー層とシーラント層とを積層させた包装体の場合、ビニール袋等の通常の包装体に比べて、そのコストが高くつき、また上記のように少なくともベース材料層に破線状の切断線を設ける作業も非常に面倒なる等の問題があった。
【特許文献１】特開２００２−２５５２３０号公報
【考案の開示】
【考案が解決しようとする課題】
【０００７】
この考案におけるラベル付き包装体は、包装体における上記のような様々な問題を解決することを課題とするものであり、包装体内に収容物を収容させた状態で、この包装体が勝手に切断されて収容物がこぼれ出したりすることがないようにすると共に、包装体内に収容された収容物を取り出す際に、この包装体を簡単に切断して収容物を容易に取り出せるようにすることを課題とするものである。
【課題を解決するための手段】
【０００８】
この考案においては、上記のような問題を解決するため、包装体に切断開始部が設けられ、この切断開始部を覆うようにしてラベルが包装体に貼着されてなるラベル付き包装体であって、このラベルの一部に包装体に貼着されない把持部が設けられると共に、このラベルの表面に、包装体に貼着されたラベルを引き剥がすように引っ張る方向を示す表示部が設けられていることを特徴としている。
【０００９】
ここで、この考案におけるラベル付き包装体において、包装体に切断開始部を設けるにあたっては、例えば、この包装体に切込みを設けるようにすることができる。
【００１０】
そして、このように包装体に切込みを設けるにあたり、例えば、この包装体が、みかん等の果物を収容させるビニール袋等の場合、この包装体内の空気を抜くための空気穴が設けられていることが多いため、この空気穴の部分に切断開始部となる切込みを設けるようにすることができる。
【００１１】
また、この考案におけるラベル付き包装体において、例えば、お菓子などを収容させた箱体からなる収容物を包むようにして収容させた包装体においては、この包装体の周囲に沿って包装体を開封させる切断用テープが設けられたものが存在しており、このような包装体においては、上記の切断用テープの開封始端を切断開始部として用いることができる。
【考案の効果】
【００１２】
この考案におけるラベル付き包装体においては、上記のように包装体に設けられた切断開始部を覆うようにしてラベルを包装体に貼着させ、このラベルの一部に包装体に貼着されていない把持部を設けると共に、このラベルの表面に、包装体に貼着されたラベルを引き剥がすように引っ張る方向を示す表示部を設けるようにしたため、切断開始部を覆うようにしてラベルを包装体に貼着させた状態では、このラベルにより切断開始部の箇所から包装体が勝手に切断されるのが防止されるようになる。
【００１３】
また、この考案におけるラベル付き包装体において、上記のように包装体に貼着されていない把持部をもって、切断開始部を覆うようにして包装体に貼着させたラベルをラベルの表面部に表示された方向に引っ張ると、このラベルが貼着された包装体が上記の切断開始部から切断され始め、簡単に包装体が切断されるようになる。
【００１４】
この結果、この考案におけるラベル付き包装体においては、切断開始部を覆うようにしてラベルを包装体に貼着させた状態では、この包装体が勝手に切断されて収容物がこぼれ出したりするのが適切に防止されると共に、上記のように把持部をもって包装体に貼着させたラベルを表面部に表示された方向に剥がすように引っ張ると、上記の切断開始部によりこの包装体が簡単に切断されるようになり、包装体内に収容された収容物を容易に取り出すことができるようになる。
【図面の簡単な説明】
【００１５】
【図１】この考案の実施形態１に係るラベル付き包装体に使用した包装体の概略斜視図である。
【図２】実施形態１のラベル付き包装体に使用したラベルの平面図である。
【図３】実施形態１のラベル付き包装体に使用したラベルの底面図である。
【図４】実施形態１のラベル付き包装体において、図１に示した包装体内に収容物を収容させた状態を示した概略斜視図である。
【図５】実施形態１のラベル付き包装体において、収容物を収容させた包装体にラベルを貼着させた状態を示した概略斜視図である。
【図６】上記の実施形態１のラベル付き包装体に使用する包装体の変更例を示した概略斜視図である。
【図７】この考案の実施形態２に係るラベル付き包装体において、箱体からなる収容物を包むように包装体内に収容させた状態を示した概略斜視図である。
【図８】実施形態２のラベル付き包装体に使用したラベルの平面図である。
【図９】実施形態２のラベル付き包装体に使用したラベルの底面図である。
【図１０】実施形態２のラベル付き包装体において、箱体からなる収容物を包むようにして収容させた包装体にラベルを貼着させた状態を示した部分説明図である。
【考案を実施するための最良の形態】
【００１６】
以下、この考案の実施形態に係るラベル付き包装体を添付図面に基づいて具体的に説明する。なお、この考案に係るラベル付き包装体は、特に下記の実施形態に示したものに限定されるものではなく、その要旨を変更しない範囲において適宜変更して実施できるものである。
【００１７】
（実施形態１）
実施形態１のラベル付き包装体においては、図１に示すように、包装体１０として、一端に開口部１１を有するビニール袋等の袋体を用いるようにしている。
【００１８】
そして、この包装体１０においては、包装体１０内の空気を抜くための空気穴１２が適当な位置に設けられており、この空気穴１２の部分に切断開始部となる切込み１３が放射方向に複数設けられている。
【００１９】
また、上記の空気穴１１や切込み１２を覆うようにして、この包装体１０に貼着させるラベル２０においては、図２に示すように、その表面にラベル２０を包装体１０から引き剥がすように引っ張る方向を示す矢印や「ＯＰＥＮ」の文字を示した表示部２１が設けられると共に、図３に示すように、その裏面の一部を除いて包装体１０に貼着させる接着層２２が設けられており、接着層２２が設けられていない部分は包装体１０に貼着されない把持部２３になるようにしている。
【００２０】
そして、この実施形態においては、図４に示すように、上記の包装体１０内にみかん等の収容物１を収容させ、この包装体１０における上記の開口部１１の近傍を紐やテープ等の結束材１４により結束してこの開口部１１を閉塞させ、この包装体１０内における空気を上記の空気穴１２を通して排出させる。
【００２１】
その後、図５に示すように、包装体１０に設けられた空気穴１１や切込み１２を覆うようにすると共に、ラベル２０の表示部２１に表示されたラベル２０を引っ張る方向を示す矢印や「ＯＰＥＮ」の文字が適切な方向に向くようにして、このラベル２０を上記の接着層２２によって包装体１０に貼着させる。
【００２２】
このように包装体１０に設けられた空気穴１１や切込み１２を覆うようにして、ラベル２０を包装体１０に貼着させると、このラベル２０によって包装体１０が上記の切込み１２の箇所から勝手に切断されるのが抑制され、この包装体１０内に収容された収容物１がこぼれ出すのが適切に防止される。
【００２３】
そして、このように包装体１０内に収容された収容物１を取り出す場合には、上記のラベル２０において、接着層２２が設けられずに包装体１０に貼着されていない把持部２３をもって、このラベル２０を上記の表示部２１に表示された矢印の方向に剥がすように引っ張ると、このラベル２０が貼着された包装体１０が上記の切込み１２の箇所から切断され始め、簡単にこの包装体１０が切断されて、この包装体１０内に収容された収容物１を容易に取り出すことができるようになる。
【００２４】
なお、この実施形態においては、包装体１０に設けられた空気穴１２の部分に切断開始部となる切込み１３を放射方向に複数設けるようにしたが、切断開始部はこのようなものに限定されず、包装体１０に貼着されたラベル２０を剥がすように引っ張った際に、このラベル２０が貼着された包装体１０が切断開始部からから簡単に切断され始めるようになっていればよく、例えば、図６に示すように、切断開始部として、包装体１０の適当な位置に山形状になった切込み１３を設けるようにすることも可能である。
【００２５】
（実施形態２）
実施形態２のラベル付き包装体においては、図７に示すように、包装体１０がお菓子などを収容させた箱体からなる収容物１を包むようになっており、この包装体１０の周囲に沿って包装体１０を開封させる切断用テープ１５が設けられており、この切断用テープ１５を包装体１０から剥離させ始める開封始端１５ａが切断開始部となっている。
【００２６】
そして、この実施形態において用いるラベル２０においても、図８に示すように、その表面にラベル２０を引き剥がすように引っ張る方向を示す矢印や「ＯＰＥＮ」の文字を示した表示部２１が設けられると共に、図９に示すように、その裏面の一部を除いて包装体１０に貼着させる接着層２２が設けられ、接着層２２が設けられていない部分が包装体１０に貼着されない把持部２３になるようにしている。
【００２７】
そして、この実施形態においては、図１０に示すように、上記の包装体１０の周囲に沿って設けられた上記の切断用テープ１５の開封始端１５ａを覆うようにすると共に、このラベル２０の表示部２１に表示されたラベル２０を引っ張る方向を示す矢印や「ＯＰＥＮ」の文字が適切な方向に向くようにして、このラベル２０を接着層２２によって包装体１０に貼着させる。
【００２８】
このように切断用テープ１５の開封始端１５ａを覆うようにして、ラベル２０を包装体１０に貼着させると、切断用テープ１５の開封始端１５ａが物などに引っ掛かったりして、切断用テープ１５が勝手に剥がれるのが防止されるようになる。
【００２９】
一方、上記の切断用テープ１５により包装体１０を開封させて、包装体１０内に収容された上記の箱体からなる収容物１の一部を露出させるにあっては、上記のラベル２０において、接着層２２が設けられずに包装体１０に貼着されていない把持部２３をもって、このラベル２０を上記の表示部２１に表示された矢印の方向に剥がすように引っ張るようにする。
【００３０】
このようにすると、このラベル２０に貼着された切断用テープ１５の開封始端１５ａがラベル２０と一緒になって包装体１０から剥がれ、切断用テープ１５により包装体１０を開封させて、包装体１０内に収容された上記の箱体からなる収容物１の一部を露出させる作業が簡単に行えるようになる。
【００３１】
なお、上記の実施形態１，２のラベル付き包装体においては、ラベル２０の裏面の一部に接着層２２を設けないようにして把持部２３を形成したが、これ以外に種々の方法で把持部２３を形成することができる。例えば、ラベル２０の裏面の全面に接着層２２を設け、この接着層２２の一部において、この接着層２２を覆うようにして接着性を有さない層を設け、このように接着性を有さない層を設けた部分を把持部２３として用いることもできる。
【符号の説明】
【００３２】
１  収容物
１０  包装体
１１  開口部
１２  空気穴
１３  切込み（切断開始部）
１４  結束材
１５  切断用テープ
１５ａ  開封始端（切断開始部）
２０  ラベル
２１  表示部
２２  接着層
２３  把持部
【図１】
0003149407.tif 000003
【図２】
0003149407.tif 000004
【図３】
0003149407.tif 000005
【図４】
0003149407.tif 000006
【図５】
0003149407.tif 000007
【図６】
0003149407.tif 000008
【図７】
0003149407.tif 000009
【図８】
0003149407.tif 000010
【図９】
0003149407.tif 000011
【図１０】
0003149407.tif 000012